(57)【特許請求の範囲】
【請求項１】
送信装置が１以上の送信アンテナから送信したリファレンス信号を、１以上の受信アンテナを介して受信する受信部と、
前記受信部が受信したリファレンス信号を用いて、前記１以上の送信アンテナと、前記１以上の受信アンテナとの組み合わせに応じたチャネルついて周波数領域のチャネル推定値を取得するチャネル推定部と、
前記チャネル推定部が取得した周波数領域のチャネル推定値を逆フーリエ変換して、チャネルを構成する各パスの振幅と位相と遅延間隔とを含む遅延プロファイルを生成する生成部と、
前記生成部が生成した遅延プロファイルのパス数を測定する測定部と、
前記測定部が測定したパス数がしきい値を超えているかどうか判断する判断部と、
周波数領域のチャネル推定値または遅延プロファイルを前記送信装置に送信するフィードバック部と、
前記判断部の判断結果を用いて、前記パス数がしきい値を超えている場合には、周波数領域のチャネル推定値を前記フィードバック部に送信させ、前記パス数がしきい値を超えていない場合には、遅延プロファイルを前記フィードバック部に送信させる制御部と、を備えた受信装置。
【請求項２】
前記生成部は、しきい値より小さい振幅のパスを除いた遅延プロファイルを生成する、請求項１記載の受信装置。
【請求項３】
前記生成部が生成した遅延プロファイルをフーリエ変換するフーリエ変換部をさらに備え、
前記フィードバック部は、周波数領域のチャネル推定値として、前記フーリエ変換部が遅延プロファイルをフーリエ変換した周波数領域のチャネル推定値を前記送信装置に送信する、請求項２記載の受信装置。
【請求項４】
前記受信部は、前記フーリエ変換部が当該遅延プロファイルをフーリエ変換した周波数領域のチャネル推定値を用いて等化処理を行う、請求項３記載の受信装置。
【請求項５】
前記送信装置及び前記受信装置は、ＭＩＭＯ（Ｍｕｌｔｉｐｌｅ  Ｉｎｐｕｔ  Ｍｕｌｔｉｐｌｅ  Ｏｕｔｐｕｔ）により通信を行うものであり、
前記送信装置は、２以上のアンテナを用いて送信を行う、請求項１から請求項４のいずれか記載の受信装置。
【請求項６】
送信装置が１以上の送信アンテナから送信したリファレンス信号を、１以上の受信アンテナを介して受信する受信ステップと、
前記受信ステップで受信したリファレンス信号を用いて、前記１以上の送信アンテナと、前記１以上の受信アンテナとの組み合わせに応じたチャネルについて周波数領域のチャネル推定値を取得するチャネル推定ステップと、
前記チャネル推定ステップで取得した周波数領域のチャネル推定値を逆フーリエ変換して、チャネルを構成する各パスの振幅と位相と遅延間隔とを含む遅延プロファイルを生成する生成ステップと、
前記生成ステップで生成した遅延プロファイルのパス数を測定する測定ステップと、
前記測定ステップで測定したパス数がしきい値を超えているかどうか判断する判断ステップと、
前記判断ステップでの判断結果を用いて、前記パス数がしきい値を超えている場合には、周波数領域のチャネル推定値を前記送信装置に送信し、前記パス数がしきい値を超えていない場合には、遅延プロファイルを前記送信装置に送信するフィードバックステップと、を備えたフィードバック方法。
【請求項７】
コンピュータを、
送信装置が１以上の送信アンテナから送信したリファレンス信号を、１以上の受信アンテナを介して受信する受信部が受信したリファレンス信号を用いて、前記１以上の送信アンテナと、前記１以上の受信アンテナとの組み合わせに応じたチャネルついて周波数領域のチャネル推定値を取得するチャネル推定部、
前記チャネル推定部が取得した周波数領域のチャネル推定値を逆フーリエ変換して、チャネルを構成する各パスの振幅と位相と遅延間隔とを含む遅延プロファイルを生成する生成部、
前記生成部が生成した遅延プロファイルのパス数を測定する測定部、
前記測定部が測定したパス数がしきい値を超えているかどうか判断する判断部、
前記判断部の判断結果を用いて、前記パス数がしきい値を超えている場合には、周波数領域のチャネル推定値を前記送信装置に送信させ、前記パス数がしきい値を超えていない場合には、遅延プロファイルを前記送信装置に送信させる制御部として機能させるためのプログラム。
【発明の詳細な説明】
【技術分野】
【０００１】
本発明は、リファレンス信号を用いたチャネル推定結果をフィードバックする受信装置等に関する。
【背景技術】
【０００２】
従来、複数のアンテナを介して空間多重により送信・受信を行う多入力多出力（ＭＩＭＯ：Ｍｕｌｔｉｐｌｅ  Ｉｎｐｕｔ  Ｍｕｌｔｉｐｌｅ  Ｏｕｔｐｕｔ）方式の無線通信が行われている（例えば、特許文献１，２）。また、そのようなＭＩＭＯ方式の無線通信における周波数領域でのチャネル推定に関する種々の方法も知られている（例えば、非特許文献１参照）。また、そのようなＭＩＭＯ方式の無線通信において、チャネル推定結果を送信側にフィードバックすることが行われている。
【先行技術文献】
【特許文献】
【０００３】
【特許文献１】特開２００３−３３８７７９号公報
【特許文献２】特開２００５−３２８３１２号公報
【非特許文献】
【０００４】
【非特許文献１】Ｍ．Ｋ．Ｏｚｄｅｍｉｒ，Ｈ．Ａｒｓｌａｎ，「Ｃｈａｎｎｅｌ  ｅｓｔｉｍａｔｉｏｎ  ｆｏｒ  ｗｉｒｅｌｅｓｓ  ＯＦＤＭ  ｓｙｓｔｅｍｓ」、ＩＥＥＥ  Ｃｏｍｍｕｎｉｃａｔｉｏｎｓ  Ｓｕｒｖｅｙｓ＆Ｔｕｔｏｒｉａｌｓ，ｖｏｌ．９，ｎｏ．２，ｐ．１８−４８，２００７年
【発明の概要】
【発明が解決しようとする課題】
【０００５】
近年、移動体無線通信システムにおいて、コンテンツダウンロードのような高速データ伝送の需要が高まってきている。これに対応するため、例えば、基地局、移動局間の距離の小さいフェムトセルやピコセルを設置し、基地局一つあたりの移動局収容数を減らすことによって、一回線あたりの伝送速度を高めることも行われている。さらに、複数のユーザに高速データ伝送を提供するために、マルチユーザＭＩＭＯ技術も提案されている。
【０００６】
ＦＤＤ（Ｆｒｅｑｕｅｎｃｙ  Ｄｉｖｉｓｉｏｎ  Ｄｕｐｌｅｘ）−ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式におけるマルチユーザＭＩＭＯの下り回線では、ほとんどの場合、受信局側でチャネル推定を行い、送信局側にチャネル推定結果をフィードバックする必要がある。特に、伝送速度を向上させるためには、より正確なチャネル推定結果のフィードバックが求められる。一方、そのチャネル推定結果のフィードバックは、無線リソースを消費することになり、そのことは、より正確なチャネル推定結果をフィードバックする場合に特に顕著となる。したがって、そのようなマルチユーザＭＩＭＯの通信等において、チャネル推定結果を送信側にフィードバックする際に、その送信するデータ容量を少なくしたいという要望があった。フィードバック対象のデータ量を少なくできれば、それだけより精度の高いフィードバックを行うことも可能だからである。
【０００７】
一般的に言えば、受信側が送信側にチャネル推定結果をフィードバック送信する無線通信システムにおいて、そのフィードバック対象のデータ量を少なくしたいという要望があった。
【０００８】
本発明は、上記事情に応じてなされたものであり、チャネル推定結果をフィードバックする際のデータ量を少なくすることができる受信装置等を提供することを目的とする。
【課題を解決するための手段】
【０００９】
上記目的を達成するため、本発明による受信装置は、送信装置が１以上の送信アンテナから送信したリファレンス信号を、１以上の受信アンテナを介して受信する受信部と、受信部が受信したリファレンス信号を用いて、１以上の送信アンテナと、１以上の受信アンテナとの組み合わせに応じたチャネルついて周波数領域のチャネル推定値を取得するチャネル推定部と、チャネル推定部が取得した周波数領域のチャネル推定値を逆フーリエ変換して、チャネルを構成する各パスの振幅と位相と遅延間隔とを含む遅延プロファイルを生成する生成部と、生成部が生成した遅延プロファイルのパス数を測定する測定部と、測定部が測定したパス数がしきい値を超えているかどうか判断する判断部と、周波数領域のチャネル推定値または遅延プロファイルを送信装置に送信するフィードバック部と、判断部の判断結果を用いて、パス数がしきい値を超えている場合には、周波数領域のチャネル推定値をフィードバック部に送信させ、パス数がしきい値を超えていない場合には、遅延プロファイルをフィードバック部に送信させる制御部と、を備えたものである。
このような構成により、遅延プロファイルのパス数に応じて、フィードバック対象を周波数領域のチャネル推定値とするのか、あるいは、時間領域の遅延プロファイルにするのかを決めるため、データ量の少ない方を適宜、選択してフィードバックすることができうる。そのため、例えば、より精度の高い遅延プロファイルを送信することも可能となりうる。
【００１０】
また、本発明による受信装置では、生成部は、しきい値より小さい振幅のパスを除いた遅延プロファイルを生成してもよい。
このような構成により、ノイズ成分を除去した遅延プロファイルを生成することができる。その結果、遅延プロファイルのデータ量を削減することができる。また、チャネル推定性能も向上させることができうる。
【００１１】
また、本発明による受信装置では、生成部が生成した遅延プロファイルをフーリエ変換するフーリエ変換部をさらに備え、フィードバック部は、周波数領域のチャネル推定値として、フーリエ変換部が遅延プロファイルをフーリエ変換した周波数領域のチャネル推定値を送信装置に送信してもよい。
このような構成により、周波数領域のチャネル推定値についても、ノイズ成分を除去することができる。
【００１２】
また、本発明による受信装置では、受信部は、フーリエ変換部が遅延プロファイルをフーリエ変換した周波数領域のチャネル推定値を用いて等化処理を行ってもよい。
このような構成により、ノイズ成分の除去された周波数領域のチャネル推定値を用いて等化処理がなされるため、より高い性能の等化処理を実現できうる。
【００１３】
また、本発明による受信装置では、送信装置及び受信装置は、ＭＩＭＯ（ＭｕｌｔｉｐｌｅＩｎｐｕｔＭｕｌｔｉｐｌｅＯｕｔｐｕｔ）により通信を行うものであり、送信装置は、２以上のアンテナを用いて送信を行ってもよい。
このような構成により、ＭＩＭＯによる通信においても、フィードバックのデータ量を少なくすることができる。
【００１４】
また、本発明によるフィードバック方法は、送信装置が１以上の送信アンテナから送信したリファレンス信号を、１以上の受信アンテナを介して受信する受信ステップと、受信ステップで受信したリファレンス信号を用いて、１以上の送信アンテナと、１以上の受信アンテナとの組み合わせに応じたチャネルについて周波数領域のチャネル推定値を取得するチャネル推定ステップと、チャネル推定ステップで取得した周波数領域のチャネル推定値を逆フーリエ変換して、チャネルを構成する各パスの振幅と位相と遅延間隔とを含む遅延プロファイルを生成する生成ステップと、生成ステップで生成した遅延プロファイルのパス数を測定する測定ステップと、測定ステップで測定したパス数がしきい値を超えているかどうか判断する判断ステップと、判断ステップでの判断結果を用いて、パス数がしきい値を超えている場合には、周波数領域のチャネル推定値を送信装置に送信し、パス数がしきい値を超えていない場合には、遅延プロファイルを送信装置に送信するフィードバックステップと、を備えたものである。
【発明の効果】
【００１５】
本発明による受信装置等によれば、フィードバックするデータ量を少なくすることができる。
【図面の簡単な説明】
【００１６】
【図１】本発明の実施の形態１による受信装置の構成を示すブロック図
【図２】同実施の形態における受信部の構成を示すブロック図
【図３】同実施の形態における生成部の構成を示すブロック図
【図４】同実施の形態による受信装置の動作を示すフローチャート
【図５】同実施の形態における遅延プロファイルについて説明するための図
【図６】同実施の形態におけるコンピュータシステムの外観一例を示す模式図
【図７】同実施の形態におけるコンピュータシステムの構成の一例を示す図
【発明を実施するための形態】
【００１７】
以下、本発明による受信装置について、実施の形態を用いて説明する。なお、以下の実施の形態において、同じ符号を付した構成要素及びステップは同一または相当するものであり、再度の説明を省略することがある。
【００１８】
（実施の形態１）
本発明の実施の形態１による受信装置について、図面を参照しながら説明する。本実施の形態による受信装置は、チャネル推定結果を送信側にフィードバックするものである。
【００１９】
図１は、本実施の形態による受信装置１の構成を示すブロック図である。受信装置１は、送信装置２と通信を行うものである。本実施の形態では、受信装置が移動局（ＵＥ：Ｕｓｅｒ  Ｅｑｕｉｐｍｅｎｔ）であり、送信装置２が基地局（ＢＳ：Ｂａｓｅ  Ｓｔａｔｉｏｎ）である場合について主に説明するが、そうでなくてもよい。また、本実施の形態では、受信装置１と送信装置２とが複数のアンテナを介してＭＩＭＯ通信を行う場合について説明するが、受信装置１と送信装置２とは、ＭＩＭＯ以外のチャネル推定結果をフィードバックする通信を行ってもよい。また、本実施の形態では、受信装置１が２個の受信アンテナ３，４を有する場合について説明するが、そうでなくてもよい。受信装置１は、１個以上の受信アンテナを有するものであればよい。また、本実施の形態では、受信装置１が１個である場合について説明するが、２個以上の受信装置が存在してもよい。その場合には、例えば、マルチユーザＭＩＭＯ通信が行われてもよい。また、本実施の形態では、送信装置２から受信装置１に対して、ＯＦＤＭによる通信が行われる場合について主に説明するが、そうでなくてもよい。また、本実施の形態では、送信装置２が２個の送信アンテナ５，６を介して送信を行う場合について説明するが、そうでなくてもよい。送信装置２は、例えば、１個以上の送信アンテナを介して送信を行うものであればよい。なお、ＭＩＭＯによる通信が行われる場合には、通常、送信装置２は２個以上の送信アンテナを有することになる。図１で示されるように、本実施の形態による受信装置１は、受信部１１と、チャネル推定部１２と、生成部１３と、測定部１４と、判断部１５と、フーリエ変換部１６と、フィードバック部１７と、制御部１８とを備える。
【００２０】
受信部１１は、送信装置２が送信アンテナ５，６から送信したリファレンス信号を、受信アンテナ３，４を介して受信する。また、受信部１１は、フィードバックされた遅延プロファイルに応じたＭＩＭＯの受信を行ってもよい。本実施の形態では、前述のように、受信部１１は、ＯＦＤＭの送信信号を受信するものとする。図２は、その受信部１１の詳細な構成を示すブロック図である。図２において、受信部１１は、低雑音増幅部３１と、局部発振部３２と、周波数変換部３３と、ＡＤ変換部３４と、フーリエ変換部３５と、等化器３６と、復調部３７と、Ｐ／Ｓ（パラレル／シリアル）変換部３８とを備える。なお、図２では、一の受信処理系列のみを示しているが、受信部１１は、受信装置１の有するアンテナの個数に応じた受信処理系列を有してもよい。また、その場合には、Ｐ／Ｓ変換部３８の後段等において、ＭＩＭＯに関してアンテナごとの信号を抽出する処理部が存在してもよく（例えば、シングルユーザＭＩＭＯの場合等）、あるいは、存在しなくてもよい（例えば、プリコーディングの場合等）。
【００２１】
低雑音増幅部３１は、受信アンテナ３，４で受信された受信信号を受信し、その受信した受信信号を増幅する。局部発振部３２は、周波数変換のための信号を生成する。周波数変換部３３は、局部発振部３２によって生成された信号を用いて、受信信号を周波数変換し、ＡＤ変換部３４で変換できる等価ベースバンド帯域受信信号に変換する。ＡＤ変換部３４は、等価ベースバンド帯域受信信号であるアナログ信号をデジタル信号に変換する。なお、このデジタル信号は、複数のサブキャリアに応じた複数の並列した信号となる。フーリエ変換部３５は、ＡＤ変換後のデジタル信号を受け付け、それらの複数の信号を並列して高速フーリエ変換することによって、時間領域の信号を周波数領域の信号に変換する。等化器３６は、後述するフーリエ変換部１６が遅延プロファイルをフーリエ変換した周波数領域のチャネル推定値を用いて等化処理を行う。復調部３７は、等化処理後の信号を復調する。Ｐ／Ｓ変換部３８は、サブキャリアごとの並列配列の信号を直列配列に変換する。その結果、受信部１１は、送信装置２が送信した信号そのものを得ることができる。
【００２２】
なお、受信部１１の構成は、これに限定されるものではなく、他の構成であってもよい。例えば、高速フーリエ変換に代えて、離散フーリエ変換を用いてもよい。このように、受信部１１の構成には任意性が存在する。また、受信部１１は、ＯＦＤＭ以外による受信を行ってもよい。すなわち、受信部１１は、ＯＦＤＭ以外による受信を行うことができる構成を有していてもよい。受信部１１は、ハードウェアによって実現されてもよく、あるいは、ソフトウェアにより実現可能な部分については、受信デバイスを駆動するドライバ等のソフトウェアによって実現されてもよい。
【００２３】
また、受信装置１において、送信時の周波数変換と、受信時の周波数変換で用いられる局部発振部は、送信の構成と、受信の構成とにおいて共用されてもよい。また、例えば、局部発振部３２が生成する周波数が２．４ＧＨｚであり、受信アンテナ３，４で受信された受信信号の周波数が２．４ＧＨｚであり、周波数変換部３３による周波数変換後の等価ベースバンド帯域の受信信号の周波数が０ＧＨｚであってもよい。なお、これらの周波数は一例であり、これらに限定されないことは言うまでもない。
【００２４】
チャネル推定部１２は、送信装置２が複数の送信アンテナ５，６からそれぞれ送信したリファレンス信号を受信部１１が受信した場合に、そのリファレンス信号を用い、複数の送信アンテナ５，６のそれぞれと、複数の受信アンテナ３，４のそれぞれとの組み合わせに応じた各チャネルについて周波数領域のチャネル推定値を取得する。すなわち、チャネルごとに周波数領域のチャネル推定値が取得されることになる。例えば、送信アンテナ５からリファレンス信号ｒ１，ｒ２，…が送信されたとする。なお、そのリファレンス信号は、あらかじめ決められている異なる周波数を介して送信される。例えば、ＯＦＤＭの場合、そのＯＦＤＭのサブキャリア分のリファレンス信号が、各サブキャリアに応じた周波数で送信される。そして、そのリファレンス信号ｒ１，ｒ２，…が受信アンテナ３を介して受信部１１によって受信されたとする。その受信されたフーリエ変換後の受信信号（すなわち、フーリエ変換部３５の出力）がｙ１，ｙ２，…であったとする。なお、ｙｎは、ｒｎと同じ周波数の信号である（ｎ＝１，２，…）。また、リファレンス信号ｒｎの伝搬された周波数における伝搬特性をｈｎとすると、ｙｎ＝ｒｎ×ｈｎとなる。なお、リファレンス信号はあらかじめ決められている既知の信号であるため、チャネル推定部１２は、ｒ１，ｒ２，…を知ることができる。したがって、チャネル推定部１２は、送信アンテナ５と、受信アンテナ３との間のチャネル推定値ｈ１，ｈ２，…を算出することができる。なお、リファレンス信号ｒ１，ｒ２，…は、複数の周波数に応じた信号を有する一の信号として送信されてもよい。したがって、リファレンス信号ｒ１，ｒ２，…は、複数の別々の信号であってもよく、一つの信号であってもよい。また、送信装置２の送信アンテナ５，６ごとに、送信装置２からリファレンス信号が送信され、そのリファレンス信号を用いて、受信装置１の受信アンテナ３，４ごとにチャネル推定値が算出される。このように、チャネル推定部１２は、送信アンテナ５，６と、受信アンテナ３，４とのすべての組み合わせの無線通信チャネルについて、それぞれ複数のチャネル推定値の集合（すなわち、周波数領域におけるチャネル推定値）を算出することになる。なお、このチャネル推定値の集合のことも単にチャネル推定値を呼ぶものとする。本実施の形態では、チャネル推定部１２は、送信アンテナ５，６と、受信アンテナ３，４との組み合わせ（すなわち、４個の組み合わせ）について、チャネル推定値を取得する。すなわち、チャネル推定部１２は、送信アンテナ５と受信アンテナ３との間のチャネル推定値ｈ１１、送信アンテナ５と受信アンテナ４との間のチャネル推定値ｈ１２、送信アンテナ６と受信アンテナ３との間のチャネル推定値ｈ２１、送信アンテナ６と受信アンテナ４との間のチャネル推定値ｈ２２を取得する。なお、ｈ１１等は、前述のように、複数の周波数に応じた複数のチャネル推定値の集合である。また、送信アンテナがＡ個であり、受信アンテナがＢ個である場合には、チャネル推定部１２は、Ａ×Ｂ個のチャネル推定値を取得することになる。また、送信装置２が送信アンテナ５を介して送信するリファレンス信号と、送信アンテナ６を介して送信するリフ��レンス信号とは、時分割多重方式により送信されてもよく、符号分割多重方式により送信されてもよく、あるいは、チャネル推定を行うことができるその他の方法によって送信されてもよい。なお、チャネル推定値の取得の処理はすでに公知であり、例えば、前述の特許文献１，２、非特許文献１等を参照されたい。
【００２５】
生成部１３は、チャネル推定部１２が取得した周波数領域のチャネル推定値を逆フーリエ変換して、チャネルを構成する各パスの振幅と位相と遅延間隔とを含む遅延プロファイルを生成する。この遅延プロファイルは、時間領域でのチャネル推定結果である。また、生成部１３は、しきい値より小さい振幅のパスを除いた遅延プロファイルを生成してもよい。本実施の形態では、生成部１３がこのように、しきい値より小さい振幅のパスを除いた遅延プロファイルを生成する場合について説明する。本実施の形態による生成部１３は、図３で示されるように、逆フーリエ変換手段４１と、パス除去手段４２と、遅延プロファイル生成手段４３とを備える。
【００２６】
逆フーリエ変換手段４１は、周波数領域のチャネル推定値に対して逆高速フーリエ変換を行い、時間領域の信号に変換する。前述のように、チャネル推定値ｈ１１等は複数の周波数に応じた複数のチャネル推定値の集合である。そのチャネル推定値に逆高速フーリエ変換が行われることによって、例えば、図５（ａ）で示されるような時間領域の波形が得られる。この波形は、チャネルを構成している複数のパス（送信側のアンテナから、受信側のアンテナへの複数の伝搬経路）を示すものである。なお、逆フーリエ変換手段４１は、各チャネルについて、逆高速フーリエ変換を行う。すなわち、本実施の形態の場合には、送信装置２と受信装置１との間の４個の各無線通信チャネルに対応したチャネル推定値ｈ１１、ｈ１２、ｈ２１、ｈ２２のそれぞれについて逆高速フーリエ変換が行われる。なお、逆フーリエ変換手段４１は、逆高速フーリエ変換に代えて逆離散フーリエ変換を行ってもよい。
【００２７】
パス除去手段４２は、逆フーリエ変換手段４１によって逆高速フーリエ変換された時間領域の信号に対して、しきい値よりも小さい振幅を除去する。ノイズ成分を除去し、フィードバックされる遅延プロファイルのデータ量を少なくするためである。例えば、逆高速フーリエ変換後の時間領域の信号及びしきい値のレベルが、図５（ａ）で示される場合には、パス除去手段４２による処理を行うことによって、図５（ｂ）のように、振幅の小さいパスが除去されることになる。パス除去手段４２は、例えば、振幅をしきい値と比較する比較器と、その比較器による比較結果がしきい値よりも小さいことを示す場合には、出力を０とし、比較結果がしきい値よりも小さくないことを示す場合には、逆高速フーリエ変換後の信号そのものを出力する選択器とによって構成され、それらの構成要素によって、時間軸方向に順次処理をすることによって、小さいパスを除去してもよい。なお、結果として、小さいパスを除去できるのであれば、その方法は問わない。また、しきい値よりも小さい振幅に、しきい値そのものが含まれてもよく、含まれなくてもよい。そのしきい値は、ノイズ成分を適切に除去することができると共に、チャネル推定結果を劣化させない適切な値に設定されることが好適である。
【００２８】
また、遅延プロファイル生成手段４３は、小さいパスの除去された逆高速フーリエ変換の結果を用いて、遅延プロファイルを生成する。すなわち、小さいパスの除去された逆高速フーリエ変換後の波形から、チャネルを構成する各パスの遅延間隔と、振幅と、位相とを取得し、それらを含む遅延プロファイルを生成する。生成された遅延プロファイルは、図示しない記録媒体で記憶されてもよい。その遅延間隔は、逆高速フーリエ変換後の波形におけるパス（ピーク）間の時間間隔である。例えば、図５（ｂ）のように、複数のパス（ピーク）が存在する場合には、各パスの間の時間間隔を示す複数の遅延間隔が取得される。なお、遅延間隔は、結果としてパス間の時間間隔を知ることができるのであれば、他の情報であってもよい。例えば、ある基準とする時点と、各パスとの間の時間間隔であってもよい。その基準とする時点は、例えば、１個目のパスの時点であってもよく、あるいは、他の同期等で用いられる時点であってもよい。また、振幅は、逆高速フーリエ変換後の波形におけるパスの実数振幅であり、位相は、そのパスの位相である。ここで、本実施の形態では、「振幅」は、複素振幅と明記しない限りは、実数振幅であるとする。したがって、遅延プロファイルは、遅延間隔と、複素振幅とを含むと言うこともできる。なお、遅延プロファイル生成手段４３は、周波数領域のチャネル推定値ｈ１１、ｈ１２、ｈ２１、ｈ２２の逆高速フーリエ変換のそれぞれの結果において小さいパスが除去されたものから、遅延プロファイルＤＰ１１、ＤＰ１２、ＤＰ２１、ＤＰ２２を生成する。ここで、周波数領域のチャネル推定値ｈｉｊに対応した遅延プロファイルをＤＰｉｊとしている。このように、通常、一のチャネルに応じた周波数領域のチャネル推定値から、一の遅延プロファイルが生成される。
【００２９】
ここで、結果として、しきい値よりも小さい振幅のパスを除いた遅延プロファイルを最終的に生成することができるのであれば、遅延プロファイルの生成と、振幅がしきい値よりも小さいパスの除去との処理の順序は問わない。例えば、逆高速フーリエ変換後の結果から遅延プロファイル生成手段４３が遅延プロファイルを生成し、その遅延プロファイルについて、パス除去手段４２が、しきい値よりも小さい振幅を特定し、その振幅と、その振幅に応じた位相を削除し、また、その振幅の削除に応じて遅延間隔を修正する必要がある場合（例えば、遅延間隔がパス間の時間間隔を示すものである場合等）には、その遅延間隔の修正（例えば、除去されたパスの両側の遅延間隔を加算する処理をすべての除去されたパスについて行うなど）を行ってもよい。
【００３０】
測定部１４は、生成部１３が生成した遅延プロファイルのパス数を測定する。パス数は、遅延プロファイルにおける振幅の数と同じであるため、測定部１４は、遅延プロファイルにおける振幅数をカウントすることによって、パス数を測定してもよい。なお、このパス数の測定は、遅延プロファイルごとに行われる。すなわち、遅延プロファイルＤＰ１１、ＤＰ１２、ＤＰ２１、ＤＰ２２のそれぞれについて、パス数ＰＮ１１、ＰＮ１２、ＰＮ２１、ＰＮ２２が取得されることになる。なお、遅延プロファイルＤＰｉｊに対応したパス数をＰＮｉｊとしている。
【００３１】
判断部１５は、測定部１４が測定したパス数がしきい値を超えているかどうか判断する。なお、この判断は、各遅延プロファイルのパス数について行われる。すなわち、パス数ＰＮ１１、ＰＮ１２、ＰＮ２１、ＰＮ２２のごとに、しきい値ＰＴを超えているかどうか判断される。なお、パス数がしきい値ＰＴと同じ場合に、しきい値ＰＴを超えていると判断されてもよく、あるいは、そうでなくてもよい。また、後述するように、パス数ＰＮｉｊがこのしきい値ＰＴを超えている場合には、周波数領域のチャネル推定値ｈｉｊ（あるいは、後述するように、遅延プロファイルＤＰｉｊがフーリエ変換された周波数領域のチャネル推定値）がフィードバックされ、パス数がこのしきい値ＰＴを超えていない場合には、遅延プロファイルＤＰｉｊがフィードバックされることになる。そして、どちらのフィードバックが行われる場合であっても、フィードバック対象のチャネル推定結果のデータ量が、フィードバックされなかったチャネル推定結果のデータ量よりも少なくなっていることが好適である。したがって、そのような結果となるように、適切なしきい値ＰＴが設定されることが好適である。
【００３２】
フーリエ変換部１６は、生成部１３が生成した遅延プロファイルを高速フーリエ変換する。その結果、ノイズ成分の除去された周波数領域のチャネル推定値を得ることができる。なお、フーリエ変換部１６は、各遅延プロファイルＤＰ１１、ＤＰ１２、ＤＰ２１、ＤＰ２２を高速フーリエ変換して、周波数領域のチャネル推定値ｈ１１ＮＲ、ｈ１２ＮＲ、ｈ２１ＮＲ、ｈ２２ＮＲを取得する。なお、周波数領域のチャネル推定値ｈ１１ＮＲ等は、周波数領域のチャネル推定値ｈ１１等と同様に、リファレンス信号の各周波数に応じた値の集合であってもよい。ここで、遅延プロファイルＤＰｉｊに対応した高速フーリエ変換後の周波数領域のチャネル推定値をｈｉｊＮＲとしている。また、この周波数領域のチャネル推定値ｈｉｊＮＲは、受信部１１の等化器３６における等化処理で用いられることになる。等化器３６は、チャネル推定部１２によるチャネル推定結果を等化処理に用いることもできるが、フーリエ変換後のチャネル推定結果ではノイズが除去されているため、そのフーリエ変換後のチャネル推定結果を用いる方が、より適切な等化処理を行うことができることになる。フーリエ変換部１６は、パス除去手段４２によるパスの除去された信号に対して、高速フーリエ変換を行ってもよい。また、フーリエ変換部１６は、高速フーリエ変換に代えて、離散フーリエ変換を行ってもよい。
【００３３】
フィードバック部１７は、フーリエ変換部１６によるフーリエ変換後の周波数領域のチャネル推定値、または、生成部１３が生成した遅延プロファイルを送信装置２に送信することによって、チャネル推定結果のフィードバックを行う。なお、フィードバック部１７は、後述する制御部１８によって決められた方のチャネル推定結果をフィードバックするものとする。フィードバック部１７による送信は、例えば、ＯＦＤＭによって行われてもよく、あるいは、その他の方式によって行われてもよい。なお、フィードバック部１７による送信は、送信対象がチャネル推定値から遅延プロファイルである場合がある以外、従来例と同様であり、その詳細な説明を省略する。また、フィードバック部１７は、ハードウェアによって実現されてもよく、あるいは送信デバイスを駆動するドライバ等のソフトウェアによって実現されてもよい。
【００３４】
制御部１８は、判断部１５の判断結果を用いて、パス数がしきい値を超えている場合には、周波数領域のチャネル推定値をフィードバック部１７に送信させ、パス数がしきい値を超えていない場合には、遅延プロファイルをフィードバック部１７に送信させる。制御部１８は、チャネルごとにこの判断を行ってもよい。すなわち、チャネルごとに、遅延プロファイルＤＰｉｊと、チャネル推定値をｈｉｊＮＲとのどちらをフィードバックするのかが制御部１８によって決定され、その決定に応じたフィードバックがフィードバック部１７によって行われてもよい。なお、どちらのフィードバックが行われるのかは、遅延パス数に応じて行われることになり、その遅延パス数は、チャネルごとに大きく変わらないと考えられる。したがって、測定部１４及び判断部１５は、代表となる一のチャネルについて、パス数の測定や判断を行い、制御部１８は、その判断結果に応じて、すべてのチャネルについてのフィードバック対象に関する制御を行うようにしてもよい。例えば、制御部１８は、遅延プロファイルＤＰ１１のパス数がしきい値ＰＴを超えている場合には、フィードバック部１７に周波数領域のチャネル推定値ｈ１１ＮＲ、ｈ１２ＮＲ、ｈ２１ＮＲ、ｈ２２ＮＲを送信させ、遅延プロファイルＤＰ１１のパス数がしきい値ＰＴを超えていない場合には、フィードバック部１７に遅延プロファイルＤＰ１１、ＤＰ１２、ＤＰ２１、ＤＰ２２を送信させてもよい。
【００３５】
次に、受信装置１の動作について図４のフローチャートを用いて説明する。
（ステップＳ１０１）受信部１１は、リファレンス信号（ＲＳ）を受信したかどうか判断する。そして、リファレンス信号を受信した場合には、ステップＳ１０２に進み、そうでない場合には、ステップＳ１０９に進む。
【００３６】
（ステップＳ１０２）チャネル推定部１２は、リファレンス信号に応じた周波数領域のチャネル推定値を取得する。すなわち、チャネル推定部１２は、例えば、送信アンテナ５と、受信アンテナ３，４との間の複数の周波数に応じたチャネル推定値、及び送信アンテナ６と、受信アンテナ３，４との間の複数の周波数に応じたチャネル推定値を取得する。その取得された周波数領域のチャネル推定値は、図示しない記録媒体で記憶されてもよい。なお、２以上のリファレンス信号が送信される場合には、例えば、ステップＳ１０１とステップＳ１０２の処理がそのリファレンス信号の数だけ繰り返されてもよい。
【００３７】
（ステップＳ１０３）生成部１３の逆フーリエ変換手段４１は、周波数領域のチャネル推定値を逆フーリエ変換する。そして、生成部１３のパス除去手段４２は、その逆フーリエ変換の結果において、振幅がしきい値よりも小さいパスを除去する。その後、生成部１３の遅延プロファイル生成手段４３は、振幅がしきい値よりも小さいパスの除去された逆フーリエ変換後の信号から遅延プロファイルを生成する。その遅延プロファイルは、図示しない記録媒体で記憶されてもよい。
【００３８】
（ステップＳ１０４）フーリエ変換部１６は、時間領域の遅延プロファイルをフーリエ変換し、周波数領域のチャネル推定値に戻す。そのフーリエ変換後のチャネル推定値は、図示しない記録媒体で記憶されてもよい。また、このチャネル推定値は、前述のように、等化器３６での等化処理にも用いられる。
【００３９】
（ステップＳ１０５）測定部１４は、生成部１３が生成した遅延プロファイルのパス数を測定する。
【００４０】
（ステップＳ１０６）判断部１５は、測定部１４が測定したパス数がしきい値ＰＴを超えているかどうか判断する。そして、パス数がしきい値ＰＴを超えている場合には、ステップＳ１０７に進み、そうでない場合には、ステップＳ１０８に進む。
【００４１】
（ステップＳ１０７）制御部１８は、フーリエ変換部１６によるフーリエ変換後の周波数領域のチャネル推定値をフィードバック部１７に送信させるように制御する。その結果、その周波数領域のチャネル推定値がフィードバック部１７によって送信装置２に送信される。そして、ステップＳ１０１に戻る。
【００４２】
（ステップＳ１０８）制御部１８は、遅延プロファイルをフィードバック部１７に送信させるように制御する。その結果、その遅延プロファイルがフィードバック部１７によって送信装置２に送信される。そして、ステップＳ１０１に戻る。
【００４３】
なお、ステップＳ１０５〜Ｓ１０８において、チャネルごとにこれらの処理が行われてもよく、あるいは、代表となるチャネルについてステップＳ１０５，Ｓ１０６の処理が行われ、その結果に応じて、すべてのチャネルについて、ステップＳ１０７またはＳ１０８の処理が行われてもよい。
【００４４】
（ステップＳ１０９）受信部１１は、ＭＩＭＯの送信信号を受信したかどうか判断する。そして、ＭＩＭＯの送信信号を受信した場合には、ステップＳ１１０に進み、そうでない場合には、ステップＳ１０１に戻る。
【００４５】
（ステップＳ１１０）受信部１１あるいはその他の構成要素によって、受信された送信信号に応じた処理が行われる。そして、ステップＳ１０１に戻る。
【００４６】
なお、チャネル推定結果として、周波数領域のチャネル推定値と、遅延プロファイルとのどちらのフィードバックが行われるのかは、それほど頻繁には変わらないと考えられる。したがって、測定部１４によるパス数の測定や、判断部１５による判断は、リファレンス信号の受信ごとに行われなくてもよい。例えば、パス数の測定や判断は、チャネル推定の周期よりは長い一定または不定の周期により、繰り返して行われ、制御部１８は、新たな判断が行われるまで、最新の判断結果に応じて、フィードバック対象に関する制御を行うようにしてもよい。また、図４のフローチャートにおいて、電源オフや処理終了の割り込みにより処理は終了する。
【００４７】
次に、本実施の形態による受信装置１の動作について、具体例を用いて説明する。
まず、送信装置２がリファレンス信号を送信するタイミングとなり、送信アンテナ５，６を介してリファレンス信号が送信されたとする。すると、そのリファレンス信号は、受信アンテナ３，４を介して受信部１１で受信される（ステップＳ１０１）。そして、チャネル推定部１２は、受信部１１のフーリエ変換部３５の出力を得ることによって、各チャネルの周波数領域におけるチャネル推定値ｈ１１、ｈ１２、ｈ２１、ｈ２２を取得し、生成部１３の逆フーリエ変換手段４１に渡す（ステップＳ１０２）。逆フーリエ変換手段４１は、各チャネル推定値ｈ１１、ｈ１２、ｈ２１、ｈ２２を逆高速フーリエ変換し、それぞれの結果をパス除去手段４２に渡す。パス除去手段４２は、各チャネル推定値ｈ１１、ｈ１２、ｈ２１、ｈ２２の逆高速フーリエ変換の結果ごとに、振幅の小さいパスの除去を行い、フーリエ変換部１６と、遅延プロファイル生成手段４３とに渡す。遅延プロファイル生成手段４３は、振幅の小さいパスの除去された逆高速フーリエ変換の結果ごとに、振幅、遅延間隔、位相を含む遅延プロファイルＤＰ１１、ＤＰ１２、ＤＰ２１、ＤＰ２２を生成し測定部１４とフィードバック部１７とに渡す（ステップＳ１０３）。それらの遅延プロファイルは、次のようであったとする。なお、ｔ１は、リファレンス信号の受信時に応じた添字であるとする。また、振幅Ａ１１ｔ１１、Ａ１１ｔ１２、Ａ１１ｔ１３、Ａ１１ｔ１４等は、時間の順に４個のパスに対応した振幅である。また、遅延間隔ＤＩ１１ｔ１１、ＤＩ１１ｔ１２、ＤＩ１１ｔ１３等は、その４個のパス間の３個の時間間隔（図５（ｂ）参照）に対応したものである。位相Ｐ１１ｔ１１、Ｐ１１ｔ１２、Ｐ１１ｔ１３、Ｐ１１ｔ１４等は、時間の順に４個のパスに対応した位相である。
［遅延プロファイルＤＰ１１］
振幅：Ａ１１ｔ１１、Ａ１１ｔ１２、Ａ１１ｔ１３、Ａ１１ｔ１４
遅延間隔：ＤＩ１１ｔ１１、ＤＩ１１ｔ１２、ＤＩ１１ｔ１３
位相：Ｐ１１ｔ１１、Ｐ１１ｔ１２、Ｐ１１ｔ１３、Ｐ１１ｔ１４
［遅延プロファイルＤＰ１２］
振幅：Ａ１２ｔ１１、Ａ１２ｔ１２、Ａ１２ｔ１３、Ａ１２ｔ１４
遅延間隔：ＤＩ１２ｔ１１、ＤＩ１２ｔ１２、ＤＩ１２ｔ１３
位相：Ｐ１２ｔ１１、Ｐ１２ｔ１２、Ｐ１２ｔ１３、Ｐ１２ｔ１４
［遅延プロファイルＤＰ２１］
振幅：Ａ２１ｔ１１、Ａ２１ｔ１２、Ａ２１ｔ１３、Ａ２１ｔ１４
遅延間隔：ＤＩ２１ｔ１１、ＤＩ２１ｔ１２、ＤＩ２１ｔ１３
位相：Ｐ２１ｔ１１、Ｐ２１ｔ１２、Ｐ２１ｔ１３、Ｐ２１ｔ１４
［遅延プロファイルＤＰ２２］
振幅：Ａ２２ｔ１１、Ａ２２ｔ１２、Ａ２２ｔ１３、Ａ２２ｔ１４
遅延間隔：ＤＩ２２ｔ１１、ＤＩ２２ｔ１２、ＤＩ２２ｔ１３
位相：Ｐ２２ｔ１１、Ｐ２２ｔ１２、Ｐ２２ｔ１３、Ｐ２２ｔ１４
【００４８】
また、フーリエ変換部１６は、生成部１３のパス除去手段４２から受け取った、振幅の小さいパスの除去された逆高速フーリエ変換の結果を、高速フーリエ変換し、周波数領域のチャネル推定値ｈ１１ＮＲ、ｈ１２ＮＲ、ｈ２１ＮＲ、ｈ２２ＮＲを取得し、受信部１１の等化器３６と、フィードバック部１７とに渡す（ステップＳ１０４）。そして、その周波数領域のチャネル推定値が、等化処理に用いられ、また、フィードバックの対象となりうる。
【００４９】
また、測定部１４は、それらの遅延プロファイルに応じてパス数を測定する（ステップＳ１０５）。それらのパス数は、次のようであったとする。
遅延パス数ＰＮ１１ｔ１＝４
遅延パス数ＰＮ１２ｔ１＝４
遅延パス数ＰＮ２１ｔ１＝４
遅延パス数ＰＮ２２ｔ１＝４
【００５０】
この具体例では、しきい値ＰＴが「５」であったとすると、判断部１５は、すべてのパス数がしきい値を超えていないと判断し、その判断結果を制御部１８に渡す（ステップＳ１０６）。そのため、制御部１８は、すべてのチャネルについて、遅延プロファイルＤＰ１１、ＤＰ１２、ＤＰ２１、ＤＰ２２を送信するようにフィードバック部１７を制御する。その結果、それらの遅延プロファイルがフィードバック部１７によって送信装置２に送信される（ステップＳ１０８）。そして、そのチャネル推定結果は、例えば、プリコーディング等のために用いられてもよい。
【００５１】
また、リファレンス信号の受信の間において、送信信号の受信が行われ、その受信に応じた処理が行われてもよいことは言うまでもない（ステップＳ１０９，Ｓ１１０）。
【００５２】
また、パス数がしきい値を超えている場合には、前述のように、制御部１８は、周波数領域のチャネル推定値を送信するようにフィードバック部１７を制御し、その周波数領域のチャネル推定値ｈ１１ＮＲ、ｈ１２ＮＲ、ｈ２１ＮＲ、ｈ２２ＮＲが送信装置２に送信される（ステップＳ１０７）。
【００５３】
以上のように、本実施の形態による受信装置１によれば、遅延プロファイルのパス数に応じて、フィードバック対象を周波数領域のチャネル推定値とするのか、あるいは、時間領域の遅延プロファイルにするのかを決めるため、データ量の少ない方を適宜、選択してフィードバックすることができる。したがって、結果として、フィードバック対象のデータ量を減らしながらも、フィードバックするチャネル推定結果の精度を向上させることができ、例えば、より伝送速度の速い通信を実現することができるようになる。
【００５４】
また、フェムトセルやピコセル等のように、比較的伝送距離が短く、見通しで、少ない数の散乱波数が小さな遅延時間で到来するような通信では、周波数領域におけるチャネル推定値を逆フーリエ変換した時間領域における遅延プロファイルをフィードバックした方が、フィードバック対象のデータ量を削減させることができる。一方、屋外や長距離等での通信では、遅延パス数が多くなることに伴って遅延プロファイルのデータ量が多くなるため、チャネル推定結果として、周波数領域のチャネル推定値をフィードバックした方が、フィードバック対象のデータ量を削減させることができる。したがって、本実施の形態のように、適宜、フィードバック対象を切り替えて送信することにより、フィードバックにおける無線リソースの消費を少なくすることができる。その結果として、例えば、より精度の高いチャネル推定結果のフィードバックも可能となる。このように、本実施の形態による受信装置１等は、例えば、フェムトセルやピコセルとの無線通信などのように、屋内の無線通信や短距離の無線通信、見通し無線通信等のように条件のよい無線通信と、屋外の無線通信や長距離の無線通信、見通しでない無線通信のように条件のよくない無線通信との両方で用いることができる。
【００５５】
また、本実施の形態では、パス除去手段４２によって、振幅の小さい遅延パスを除去することによって、遅延プロファイルにおけるノイズ成分を除去することができ、その結果、時間領域におけるチャネル推定の性能を高めることができうる。また、その除去に応じて、フィードバック対象の遅延プロファイルのデータ量も削減できる。また、その振幅の小さい遅延パスの除去された遅延プロファイルをフーリエ変換した周波数領域のチャネル推定値を、等化処理や、フィードバックに用いることにより、その周波数領域のチャネル推定の性能をも高めることができうる。その結果、例えば、受信装置１において、より適切な信号の復調等が可能となる。
【００５６】
なお、本実施の形態では、受信部１１の等化器３６において、フーリエ変換部１６によるフーリエ変換後の周波数領域のチャネル推定値を用いて等化処理を行う場合について説明したが、そうでなくてもよい。受信部１１の等化器３６は、チャネル推定部１２が取得した周波数領域のチャネル推定値を用いて等化処理を行ってもよい。
【００５７】
また、本実施の形態では、フィードバック部１７が、周波数領域のチャネル推定値を送信する際に、フーリエ変換部１６によるフーリエ変換後の周波数領域のチャネル推定値を送信する場合について説明したが、そうでなくてもよい。フィードバック部１７は、周波数領域のチャネル推定値を送信する際に、チャネル推定部１２が取得した周波数領域のチャネル推定値を送信してもよい。
【００５８】
また、本実施の形態において、周波数領域のチャネル推定値をフィードバックする場合に、その周波数領域のチャネル推定値のデータ量を削減してフィードバックするようにしてもよい。例えば、データの圧縮を行うことによって、周波数領域のチャネル推定値のデータ量を削減してもよく、あるいは、周波数領域のチャネル推定値のサンプル数を削減することによって、データ量を削減してもよい。ここで、その後者の場合について少し説明する。周波数領域のチャネル推定値には、例えば、ＯＦＤＭの場合であれば、サブキャリアの個数分のサンプル数が存在する。したがって、サンプル数を減らす場合には、例えば、１以上のサブキャリアの周波数に対応するチャネル推定値を単に削除するだけでもよく、あるいは、２以上のサブキャリアの周波数に対応するチャネル推定値を補間することによって、新たな周波数に対応したチャネル推定値をリサンプリングし、１以上のサブキャリアの周波数に対応するチャネル推定値を削除すると共に、そのリサンプリングした新たな周波数に対応したチャネル推定値を追加するようにしてもよい。なお、削除されたサンプル数の方が、追加されたサンプル数よりも多いことが好適である。そのようなデータ量の削減として、例えば、周波数が隣接する２個のサブキャリアのサンプルを、その２個のサンプルの中間の周波数に対応した、その２個のサンプルの平均値に置き換えることによって、周波数領域のチャネル推定値を再構成してもよい。この処理によって、サンプル数が半分に減ることになり、データ量が半分になる。この処理は、例えば、生成部１３やフーリエ変換部１６、フィードバック部１７等によって行われてもよく、あるいは、その他の構成要素によって行われてもよい。なお、データ量の圧縮については、時間領域の遅延プロファイルに対して行ってもよい。
【００５９】
また、本実施の形態では、生成部１３において、パス除去手段４２による小さい振幅の遅延パスの除去を行う場合について説明したが、そうでなくてもよい。生成部１３は、小さい振幅のパスを除去しないで、遅延プロファイルを生成してもよい。
また、ＭＩＭＯは通常、ＯＦＤＭにより行われるため、ＯＦＤＭによる通信が行われる場合について主に説明したが、ＯＦＤＭではないＭＩＭＯによる通信が行われてもよいことは言うまでもない。
【００６０】
また、本実施の形態では、主にシングルユーザＭＩＭＯ通信を行う場合について説明したが、前述のようにマルチユーザＭＩＭＯ通信のフィードバックにおいて、データ量を少なくするようにフィードバック対象のスイッチングを行ってもよい。また、ＭＩＭＯ通信以外のチャネル推定結果の送信が必要なシステムにおいて、本実施の形態のようにして、フィードバック対象のチャネル推定結果をスイッチングしてもよいことは言うまでもない。また、前述のように、受信装置１は１個の受信アンテナを用いて受信を行うものであってもよく、３個以上の受信アンテナを用いて受信を行うものであってもよい。すなわち、受信部１１は、送信装置２が１以上の送信アンテナから送信したリファレンス信号を、１以上の受信アンテナを介して受信するものであってもよい。そして、チャネル推定部１２は、受信部１１が受信したリファレンス信号を用いて、１以上の送信アンテナと、１以上の受信アンテナとの組み合わせに応じたチャネルついて周波数領域のチャネル推定値を取得するものであってもよい。
【００６１】
また、上記実施の形態において、各処理または各機能は、単一の装置または単一のシステムによって集中処理されることによって実現されてもよく、あるいは、複数の装置または複数のシステムによって分散処理されることによって実現されてもよい。
【００６２】
また、上記実施の形態において、各構成要素間で行われる情報の受け渡しは、例えば、その情報の受け渡しを行う２個の構成要素が物理的に異なるものである場合には、一方の構成要素による情報の出力と、他方の構成要素による情報の受け付けとによって行われてもよく、あるいは、その情報の受け渡しを行う２個の構成要素が物理的に同じものである場合には、一方の構成要素に対応する処理のフェーズから、他方の構成要素に対応する処理のフェーズに移ることによって行われてもよい。
【００６３】
また、上記実施の形態において、各構成要素が実行する処理に関係する情報、例えば、各構成要素が受け付けたり、取得したり、選択したり、生成したり、送信したり、受信したりした情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【００６４】
また、上記実施の形態において、各構成要素等で用いられる情報、例えば、各構成要素が処理で用いるしきい値やアドレス、各種の設定値等の情報がユーザによって変更されてもよい場合には、上記説明で明記していない場合であっても、ユーザが適宜、それらの情報を変更できるようにしてもよく、あるいは、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【００６５】
また、上記実施の形態において、受信装置１に含まれる２以上の構成要素が通信デバイスや入力デバイス等を有する場合に、２以上の構成要素が物理的に単一のデバイスを有してもよく、あるいは、別々のデバイスを有してもよい。
【００６６】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記実施の形態における受信装置１を実現するソフトウェアは、以下のようなプログラムである。つまり、このプログラムは、コンピュータを、送信装置が１以上の送信アンテナから送信したリファレンス信号を、１以上の受信アンテナを介して受信する受信部が受信したリファレンス信号を用いて、１以上の送信アンテナと、１以上の受信アンテナとの組み合わせに応じたチャネルついて周波数領域のチャネル推定値を取得するチャネル推定部、チャネル推定部が取得した周波数領域のチャネル推定値を逆フーリエ変換して、チャネルを構成する各パスの振幅と位相と遅延間隔とを含む遅延プロファイルを生成する生成部、生成部が生成した遅延プロファイルのパス数を測定する測定部、測定部が測定したパス数がしきい値を超えているかどうか判断する判断部、判断部の判断結果を用いて、パス数がしきい値を超えている場合には、周波数領域のチャネル推定値を送信装置に送信させ、パス数がしきい値を超えていない場合には、遅延プロファイルを送信装置に送信させる制御部として機能させるためのプログラムである。
【００６７】
なお、上記プログラムにおいて、上記プログラムが実現する機能には、ハードウェアでしか実現できない機能は含まれない。すなわち、ハードウェアでしか実現できない機能は、上記プログラムが実現する機能には少なくとも含まれないものとする。
【００６８】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【００６９】
また、このプログラムを実行するコンピュータは、単数であってもよく、複数であってもよい。すなわち、集中処理を行ってもよく、あるいは分散処理を行ってもよい。
【００７０】
図６は、上記プログラムを実行して、上記実施の形態による受信装置１を実現するコンピュータの外観の一例を示す模式図である。上記実施の形態は、コンピュータハードウェア及びその上で実行されるコンピュータプログラムによって実現されうる。
【００７１】
図６において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【００７２】
図７は、コンピュータシステム９００の内部構成を示す図である。図７において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、前述の送信や受信の処理を行うためのハードウェア、例えば、ＤＡ変換器やＡＤ変換器、変調器や復調器等を含んでいてもよく、あるいは、それらのハードウェアに接続されていてもよい。また、コンピュータ９０１は、ＬＡＮへの接続を提供する図示しないネットワークカードを含んでいてもよい。
【００７３】
コンピュータシステム９００に、上記実施の形態による受信装置１の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【００７４】
プログラムは、コンピュータ９０１に、上記実施の形態による受信装置１の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【００７５】
また、本発明は、以上の実施の形態に限定されることなく、種々の変更が可能であり、それらも本発明の範囲内に包含されるものであることは言うまでもない。
【産業上の利用可能性】
【００７６】
以上より、本発明による受信装置等によれば、フィードバックするデータ量を少なくすることができるという効果が得られ、例えば、チャネル推定結果を送信する受信装置等として有用である。
【符号の説明】
【００７７】
１  受信装置
２  送信装置
３、４  受信アンテナ
５、６  送信アンテナ
１１  受信部
１２  チャネル推定部
１３  生成部
１４  測定部
１５  判断部
１６、３５  フーリエ変換部
１７  フィードバック部
１８  制御部
３１  低雑音増幅部
３２  局部発振部
３３  周波数変換部
３４  ＡＤ変換部
３６  等化器
３７  復調部
３８  Ｐ／Ｓ変換部
４１  逆フーリエ変換手段
４２  パス除去手段
４３  遅延プロファイル生成手段
【図１】
0005632998.tif 000002
【図２】
0005632998.tif 000003
【図３】
0005632998.tif 000004
【図４】
0005632998.tif 000005
【図５】
0005632998.tif 000006
【図６】
0005632998.tif 000007
【図７】
0005632998.tif 000008